(57)【要約】【課題】照明器具への安定器の取り付け、取り外しを簡単かつ確実に行えて、寸法違いやランプリード線の結線違いの安定器でも照明器具への取り付け、取り外しを容易に可能とする。【解決手段】入力電源を接続するための入力用コネクタ１と；光源を接続するための出力用コネクタ２を備える照明点灯装置としての安定器３と、商用電源を出力する電源接続用コネクタ４と、安定器３を光源に接続するための光源接続用コネクタ５を備える照明器具６において、安定器３の照明器具６への取り付けは、安定器３の入力用コネクタ１と出力用コネクタ２が器具６側に設けられた電源接続用コネクタ４と光源接続用コネクタ５にそれぞれ接続することにより取り付けられ、器具６側に設けられた、電源接続用コネクタ４と光源接続用コネクタ５は、安定器３の形状に対応するように少なくとも一方を可動とした。【選択図】図１
2010080158.tif 000002
【特許請求の範囲】
【請求項１】
入力電源を接続するための入力用コネクタと；光源を接続するための出力用コネクタを備える照明点灯装置と、
商用電源を出力する電源接続用コネクタと、
照明点灯装置を光源に接続するための光源接続用コネクタを備える照明器具において、
照明点灯装置の照明器具への取り付けは、照明点灯装置の入力用コネクタと出力用コネクタが器具側に設けられた電源接続用コネクタと光源接続用コネクタにそれぞれ接続することにより取り付けられ、
器具側に設けられた、電源接続用コネクタと光源接続用コネクタは、照明点灯装置の形状に対応するように少なくとも一方を可動としたことを特徴とする照明器具。
【請求項２】
照明器具に設けられた電源接続用コネクタと照明点灯装置に設けられた入力用コネクタには、照明点灯装置に対して光源の光出力を変化させる点灯制御信号を入力するための制御信号端子が含まれていることを特徴とする請求項１記載の照明器具。
【請求項３】
照明器具に設けられた電源接続用コネクタと照明点灯装置に設けられた入力用コネクタには、照明点灯装置をアース接続するためのアース端子が含まれていることを特徴とする請求項１または２記載の照明器具。
【請求項４】
照明点灯装置に設けられた出力用コネクタと照明器具に設けられた光源接続用コネクタの少なくとも一方は接続される光源の数や接続方式に応じてピン間の開放・短絡が可能な構造としたことを特徴とする請求項１〜３のいずれかに記載の照明器具。
【請求項５】
請求項１〜４のいずれかに記載の照明器具に搭載される照明点灯装置。
【発明の詳細な説明】
【技術分野】
【０００１】
本発明は照明点灯装置を照明器具に取り付ける取り付け構造を備えた照明点灯装置および照明器具に関するものである。
【背景技術】
【０００２】
近年、蛍光灯照明器具のリニューアルとして、安定器のみを交換する事業が増加する傾向にある。照明器具ごと全て交換するよりも低いコストで省電力化できるためである。
【０００３】
蛍光灯照明器具は主に金属やプラスチックからなる器具本体、安定器、ソケット、蛍光ランプから構成される。蛍光灯照明器具の中で最も寿命が短いものは蛍光ランプである。蛍光ランプが寿命になり点灯しなくなった場合には容易に交換することができるため問題はない。
【０００４】
次に寿命が短い構成要素は安定器である。安定器は絶縁物の劣化や電子部品の劣化により寿命に至る。絶縁性能が低下した安定器を使用し続けることは、照明器具の安全上好ましいものではない。
【０００５】
このように省電力を目的としたリニューアル、あるいは安定器の寿命によるリニューアルの要望が益々強くなる中で、安定器を容易に交換できることが重要である。
【０００６】
図１１は照明器具６のべースプレート（天面）に安定器３を取り付けるタイプの照明器具の一例、図１２は安定器３の平面図である。安定器３の入力用コネクタ１には電源線が接続され、出力用コネクタ２ａ，２ｂにはランプソケットＳへの配線（ランプリード線）が接続される。従来から、照明器具６への安定器３の取り付け・取り外しは、照明器具６のべースプレートと安定器３に取り付け穴１１を開け、ネジ止めすることにより行っている。交換の際には、器具の裏側からナットを押さえながらネジ止めするという作業を行わなければならず、作業性が悪い。
【０００７】
そこで、作業の効率化を図るために、例えば、特許文献１では、器具からの切起片を折り曲げることで安定器を器具に固定するという手段を用い、安定器の器具への取り付け、器具からの取り外しを、工具を用いて簡単に行えるようにしている。
【０００８】
また、特許文献２では、安定器の長手方向の中央や両端に磁石を組み込み、天面が磁性材料でなる器具に吸着させることで固定するという手段を用い、交換作業の簡略化を計っている。
【特許文献１】特開２００１−３０７５４３号公報
【特許文献２】特開２０００−２２２９３２号公報
【発明の開示】
【発明が解決しようとする課題】
【０００９】
ところで、省電力性能の追求、コストの低減、器具形状の自由化を目的としてインバータ式安定器のサイズは小型化される方向にあり、電子部品の高性能化も相まって安定器の小型化は益々進んでいる。したがって、照明器具の安定器を交換する際には既設の安定器と新しい安定器とではサイズが異なることがしばしばある。
【００１０】
実際、安定器を交換する際には新しい安定器のサイズに合わせて器具に新たに取り付け穴を開ける加工が施される。また、天井に設置される照明器具を取り外して穴開け加工をすると施工コストが高くなるため、器具を取り付けた状態のまま器具表側からタッピングネジを用いて器具に直接安定器を固定することがしばしば行われる。さらには、もし安定器のサイズが同じであったとしても、取り付けの際には取り付け穴の裏側からナットを押さえながらネジ止めをするという作業を行っている。
【００１１】
安定器の交換を容易にできるようにするために、特許文献１のように、取り付け器具からの切起片を折り曲げることで安定器を器具に固定するという手段では、照明器具には予め切起片を設けておく必要があり、この切起片の位置を自在に動かすことは不可能である。つまり長さの異なる安定器を同じ照明器具に取り付けることができない。
【００１２】
特許文献２のように、磁性材料で吸着させる場合、安定器の使用環境によっては振動による安定器の落下等が起こる可能性が高く、信頼性の確保が困難である。
【００１３】
また、接続される蛍光ランプが２灯用である場合、安定器によって接続方法が異なるため、ランプリード線等を結線し直し、安定器に接続しなければならない。
【００１４】
図１３（ａ）〜（ｃ）に複数の蛍光ランプＦＬ１，ＦＬ２の安定器３への接続形態を示す。このような安定器交換のための結線のやり直しは手間が掛かり不便であるほか、誤結線が起きるとランプ短寿命や発熱等の不都合が発生する場合も考えられる。
【００１５】
本発明はこのような点に鑑みてなされたものであり、照明器具への安定器の取り付け、取り外しを簡単に、かつ、確実に行うことができ、また、寸法違い、ランプリード線の結線違いの安定器であっても、照明器具への取り付け、取り外しを容易に可能とすることを目的とするものである。
【課題を解決するための手段】
【００１６】
請求項１の発明は、上記の課題を解決するために、図１〜図４に示すように、入力電源を接続するための入力用コネクタ１と；光源を接続するための出力用コネクタ２を備える照明点灯装置としての安定器３と、商用電源を出力する電源接続用コネクタ４と、安定器３を光源に接続するための光源接続用コネクタ５を備える照明器具６において、安定器３の照明器具６への取り付けは、安定器３の入力用コネクタ１と出力用コネクタ２が器具６側に設けられた電源接続用コネクタ４と光源接続用コネクタ５にそれぞれ接続することにより取り付けられ、器具６側に設けられた、電源接続用コネクタ４と光源接続用コネクタ５は、安定器３の形状に対応するように少なくとも一方を可動としたことを特徴とするものである。
【００１７】
請求項２の発明は、請求項１の発明において、照明器具６に設けられた電源接続用コネクタ４と安定器３に設けられた入力用コネクタ１には、図５に示すように、安定器３に対して光源の光出力を変化させる点灯制御信号を入力するための制御信号端子１ｂが含まれていることを特徴とする。
【００１８】
請求項３の発明は、請求項１または２の発明において、照明器具６に設けられた電源接続用コネクタ４と安定器３に設けられた入力用コネクタ１には、図５に示すように、安定器３をアース接続するためのアース端子１ｃが含まれていることを特徴とする。
【００１９】
請求項４の発明は、請求項１〜３の発明において、図７〜図１０に示すように、安定器３に設けられた出力用コネクタ２と照明器具６に設けられた光源接続用コネクタ５の少なくとも一方は接続される光源の数や接続方式に応じてピン間の開放・短絡が可能な構造としたことを特徴とする。
【００２０】
請求項５の発明は、請求項１〜３のいずれかに記載の照明器具６に搭載される安定器３である。
【発明の効果】
【００２１】
請求項１の発明によれば、照明点灯装置と照明器具の接続端子がコネクタ形状であり、接続位置を安定器の形状に合わせて容易に変更でき、且つ固定できるので、様々な形状の安定器の取り付け、交換を容易に行うことができる。
【００２２】
請求項２の発明によれば、照明点灯装置と照明器具のコネクタに照明点灯装置の出力を変更させる点灯制御信号端子を含んでいることにより、調光用点灯装置も容易に器具へ接続、固定することができるほか、非調光用安定器と調光用安定器の両方に接続可能な照明器具を提供することができる。
【００２３】
請求項３の発明によれば、照明点灯装置と照明器具のコネクタに照明点灯装置をアース接続するためのアース端子を含んでいることにより、容易に器具へ接続、固定することができる。
【００２４】
請求項４の発明によれば、照明点灯装置の出力用コネクタと照明器具の光源接続用コネクタの少なくとも一方はピン間の開放・短絡が可能な構造としたので、ランプリード線を切断、接合する必要がなく、２灯用安定器での様々なランプ結線に容易に対応することができる。また、１灯用安定器と２灯用安定器を同じ照明器具でランプ結線を変更することなく容易に接続することができる。
【発明を実施するための最良の形態】
【００２５】
以下、本発明の実施の形態を図面に基づいて説明する。
＜実施例１＞
図１は本実施例の安定器３の外観を示しており、（ａ）は正面図、（ｂ）は側面図、（ｃ）は背面図である。本実施例では、照明点灯装置としての安定器３の電源入力側（正面側）とランプ出力側（背面側）がコネクタ形状になっており、電源に接続される入力用コネクタ１は２ピン形状、ランプに接続される出力用コネクタ２は４ピン形状になっている。
【００２６】
図２は照明器具６のベースプレートに設けられた電源接続用コネクタ４を示しており、（ａ）は正面図、（ｂ）は側面図である。電源接続用コネクタ４は２ピン形状であり、電源線７は商用電源を出力する。
【００２７】
図３は照明器具６のベースプレートに設けられたランプ接続用コネクタ５を示しており、（ａ）は正面図、（ｂ）は側面図である。ランプ接続用コネクタ５は４ピン形状であり、ランプリード線８を介して、ランプ両端にフイラメントが１本ずつある蛍光ランプ１灯に接続される。
【００２８】
本実施例の特徴的な点は、照明器具６のベースプレートに設けられた穴を挟むように電源接続用コネクタ４とランプ接続用コネクタ５が設置され、これらのコネクタ４，５を照明器具６の長手方向（図２〜図４の矢印方向）に沿って可動とした点である。
【００２９】
図４に照明器具６のベースプレートに設置される電源接続用コネクタ４と安定器３（入力用コネクタ１）を示す。電源接続用コネクタ４とランプ接続用コネクタ５は照明器具６のベースプレートの上下で分離可能であり、ネジ穴９が設けられている。ネジとナットで照明器具６のベースプレートをコネクタ４，５で挟み込むように固定する。従って、安定器３の両端を電源接続用コネクタ４とランプ接続用コネクタ５とで接続することで、安定器３を照明器具６のベースプレートに固定することができる。安定器３の形状が異なる場合も、予め想定される安定器３の形状に合わせて、照明器具６のベースプレートに穴を設けておけば、様々な安定器形状に対応できるのである。
【００３０】
＜実施例２＞
図５は本実施例での安定器３の外観を示しており、（ａ）は正面図、（ｂ）は側面図、（ｃ）は背面図である。本実施例の特徴的な点は、照明点灯装置としての安定器３の入力用コネクタ１が５ピン形状であり、電源端子１ａと調光信号端子１ｂとアース端子１ｃが１つのコネクタ１に存在している点である。無論、照明器具６のべースプレートに設置される電源接続用コネクタ４も５ピン形状で対応している。
【００３１】
これにより、コネクタを接続するだけで、電源接続のほかに調光信号とアースを安定器に接続できるほか、非調光用安定器と調光用安定器が同じ器具、同じコネクタで使用可能となる。非調光用安定器の場合はコネクタの調光用のピンが安定器の内部回路に接続されておらず、オープン状態としておけば良い。調光信号が入力されても安定器動作としては何の影響もないのである。
【００３２】
＜実施例３＞
図６は本実施例での照明器具６のベースプレートに設置されるランプ接続用コネクタ５と照明点灯装置としての安定器３（出力用コネクタ２）を示す。
【００３３】
本実施例の特徴的な点は、出力用コネクタ２とランプ接続用コネクタ５のピン数が８ピン形状で構成され、更にランプ接続用コネクタ５の内部にはスイッチが設けられ、使用者が各ピン間を短絡、開放できるようになっている点である。これにより、２灯用安定器での様々なランプ結線に対応できる。
【００３４】
図７、図８、図９にそれぞれ２灯用安定器に対応したランプ結線と、ランプ接続用コネクタ５の内部のスイッチの状態を示す。図中、ＦＬ１，ＦＬ２は熱陰極蛍光ランプ、Ａ，ＢはランプＦＬ１のフィラメント、Ｃ，ＤはランプＦＬ２のフィラメントである。各図において、（ａ）はランプ接続用コネクタ５の内部のスイッチの状態、（ｂ）は２灯用安定器に対応したランプ結線を示す。
【００３５】
また、１灯用安定器においても出力用コネクタ２を８ピン形状にしておけば、ランプ接続用コネクタ５が８ピンの２灯用照明器具６において、図１０のように容易に１灯用安定器を接続し、蛍光ランプ１灯を点灯することができる。
【００３６】
全て同じ８ピン形状のコネクタであるが、コネクタ内部のスイッチを切り替えることで、様々なランプ結線に対応できるのである。スイッチは出力用コネクタ２に設けても良い。
【００３７】
また、ランプ接続用コネクタ５と電源接続用コネクタ４には位置調整用釦１０が設けられている。位置調整用釦１０を押すことで、コネクタ内部のバネが縮められ、照明器具６のベースプレートから分離され、移動できるようになる。位置調整用釦１０を離すと、コネクタ内部のバネが外側に延びるので、コネクタは照明器具６のベースプレートに固定される。
【００３８】
以上のように、本実施例ではランプ結線や、安定器の形状や、接続されるランプの灯数が異なっても容易に安定器を器具に固定し、ランプリード線を結線できるので、安定器の交換を短時間に低コストで安全に行うことができる。
【図面の簡単な説明】
【００３９】
【図１】本発明の実施例１の安定器を示す図であり、（ａ）は正面図、（ｂ）は側面図、（ｃ）は背面図である。
【図２】本発明の実施例１の器具側の電源接続用コネクタを示す図であり、（ａ）は正面図、（ｂ）は側面図である。
【図３】本発明の実施例１の器具側のランプ接続用コネクタを示す図であり、（ａ）は正面図、（ｂ）は側面図である。
【図４】本発明の実施例１の器具側の電源接続用コネクタと安定器の入力用コネクタを示す斜視図である。
【図５】本発明の実施例２の安定器を示す図であり、（ａ）は正面図、（ｂ）は側面図、（ｃ）は背面図である。
【図６】本発明の実施例３の器具側のランプ接続用コネクタと安定器の出力用コネクタを示す斜視図である。
【図７】本発明の実施例３のランプ配線を示す図であり、（ａ）はランプ接続用コネクタの内部のスイッチの状態を示す説明図、（ｂ）は２灯用安定器に対応したランプ結線を示す回路図である。
【図８】本発明の実施例３のランプ配線を示す図であり、（ａ）はランプ接続用コネクタの内部のスイッチの状態を示す説明図、（ｂ）は２灯用安定器に対応したランプ結線を示す回路図である。
【図９】本発明の実施例３のランプ配線を示す図であり、（ａ）はランプ接続用コネクタの内部のスイッチの状態を示す説明図、（ｂ）は２灯用安定器に対応したランプ結線を示す回路図である。
【図１０】本発明の実施例３のランプ配線を示す図であり、（ａ）はランプ接続用コネクタの内部のスイッチの状態を示す説明図、（ｂ）は１灯用安定器に対応したランプ結線を示す回路図である。
【図１１】従来の照明器具の概略構成を示す斜視図である。
【図１２】従来の安定器の概略構成を示す平面図である。
【図１３】従来のランプ配線を示す説明図である。
【符号の説明】
【００４０】
１  入力用コネクタ
２  出力用コネクタ
３  安定器（照明点灯装置）
４  電源接続用コネクタ
５  ランプ接続用コネクタ
６  照明器具
７  電源線
８  ランプリード線
【図１】
2010080158.tif 000003
【図２】
2010080158.tif 000004
【図３】
2010080158.tif 000005
【図４】
2010080158.tif 000006
【図５】
2010080158.tif 000007
【図６】
2010080158.tif 000008
【図７】
2010080158.tif 000009
【図８】
2010080158.tif 000010
【図９】
2010080158.tif 000011
【図１０】
2010080158.tif 000012
【図１１】
2010080158.tif 000013
【図１２】
2010080158.tif 000014
【図１３】
2010080158.tif 000015